(57)【要約】  連続性のある良好な音声信号の記録を行うことができる記録装置等を提供する。  記録装置は、複数種類のマイクを切り替えて、複数のチャネルの音声信号を記録することが可能である。複数種類のマイクは、第１のチャネル数に対応した第１マイク、および、第２のチャネル数に対応した第２マイクを含んでおり、かつ、第１マイクおよび第２マイクの一方は着脱可能である。記録装置は、複数のチャネルの音声信号を受け取って記録媒体に記録する信号処理部と、第１マイクを用いて取得した音声信号の記録中に着脱可能なマイクの着脱を検出すると、第２マイクで取得された少なくとも１つの音声信号を含む、第１のチャネル数と同じチャネル数の音声信号を信号処理部に送るよう信号経路を制御する切換制御部とを備えている。信号処理部は、信号経路を介して受け取った第１のチャネル数と同じチャネル数の音声信号を記録媒体に記録する。
2008056572.tif 000002
【特許請求の範囲】
【請求項１】
複数種類のマイクを切り替えて、複数のチャネルの音声信号を記録することが可能な記録装置であって、
前記複数種類のマイクは、第１のチャネル数に対応した第１マイク、および、第２のチャネル数に対応した第２マイクを含んでおり、かつ、前記第１マイクおよび前記第２マイクの一方は着脱可能であり、
複数のチャネルの音声信号を受け取って記録媒体に記録する信号処理部と、
前記第１マイクを用いて取得した音声信号の記録中に、着脱可能なマイクの着脱を検出すると、前記第２マイクで取得された少なくとも１つの音声信号を含む、前記第１のチャネル数と同じチャネル数の音声信号を前記信号処理部に送るよう信号経路を制御する切換制御部と
を備え、前記信号処理部は、前記信号経路を介して受け取った前記第１のチャネル数と同じチャネル数の音声信号を前記記録媒体に記録する、記録装置。
【請求項２】
前記第１マイクは内部に設けられ、前記第２マイクは着脱可能に接続される、請求項１に記載の記録装置。
【請求項３】
前記第１マイクは着脱可能に接続され、前記第２マイクは内部に設けられている、請求項１に記載の記録装置。
【請求項４】
前記第１のチャネル数が前記第２のチャネル数より多いときにおいて、
前記切換制御部は、前記第２マイクで取得された音声信号および無音の音声信号を含む、前記第１のチャネル数と同じチャネル数の複数の音声信号を前記信号処理部に送るよう信号経路を制御する、請求項１に記載の記録装置。
【請求項５】
前記第１のチャネル数が前記第２のチャネル数より少ないときにおいて、
前記切換制御部は、前記第２マイクで取得された複数の音声信号のうち、前記第１のチャネル数と同じチャネル数の音声信号を前記信号処理部に送るよう信号経路を制御する、請求項１に記載の記録装置。
【請求項６】
前記切換制御部は、前記第１マイクを用いて取得した音声信号の記録中に、前記第２マイクが取り付けられたことを検出する、請求項２に記載の記録装置。
【請求項７】
前記切換制御部は、前記第１マイクを用いて取得した音声信号の記録中に、前記第１マイクが取り外されたことを検出する、請求項３に記載の記録装置。
【請求項８】
音声の記録が停止された後において、
前記切換制御部は、前記第２マイクで取得された前記第２のチャネル数の音声信号を前記信号処理部に送るよう信号経路を制御する、請求項４に記載の記録装置。
【請求項９】
複数種類のマイクを切り替えて、複数のチャネルの音声信号を記録することが可能な記録装置を利用して実行される方法であって、
前記複数種類のマイクは、第１のチャネル数に対応した第１マイク、および、第２のチャネル数に対応した第２マイクを含んでおり、かつ、前記第１マイクおよび前記第２マイクの一方は着脱可能であり、
複数のチャネルの音声信号を受け取って記録媒体に記録するステップと、
前記第１マイクを用いて取得した音声信号の記録中に、着脱可能なマイクの着脱を検出するステップと、
マイクの着脱の検出に応答して信号経路を制御し、前記第２マイクで取得された少なくとも１つの音声信号を含む、前記第１のチャネル数と同じチャネル数の音声信号を出力するステップと、
前記第１のチャネル数と同じチャネル数の音声信号を前記記録媒体に記録するステップと
を包含する、記録方法。
【発明の詳細な説明】
【技術分野】
【０００１】
本発明は、複数のチャネルの音声信号を記録媒体に記録することが可能な記録装置に関する。より具体的には、本発明は、複数種類のマイクを切り替えて、いずれかのマイクで取得された音声信号を記録媒体に記録することが可能な記録装置に関する。
【背景技術】
【０００２】
最近のビデオカメラの高性能化にともない、マイクからの音声信号についても５．１チャネル（ＣＨ）サラウンドサウンドの記録が可能になってきた。【０００３】
ビデオカメラによる５．１ＣＨサラウンドサウンドの記録方法を説明すると、５ＣＨ内部マイクからの音声信号はＡＣ−３コーデックによってそのまま符号化されると共に、５ＣＨ内部マイクからの音声信号からの低音部０．１ＣＨの音声信号も符号化される。その結果、デジタル化された計６チャネルの音声信号が得られる。得られた音声信号は、ＤＶＤ、メモリカードなどの記録媒体に記録される。【０００４】
ビデオカメラに設けられた５ＣＨ内部マイクは、ビデオカメラ周辺に到来した音を広範囲に捕らえる機能を有している。しかしながらこの機能では、ビデオカメラから離れた場所の音やインタビュー等での音声を捕らえるには不都合な場合がある。よってそのような不都合を補うために外部マイクを使用することが好適である。このためビデオカメラの中には２ＣＨ外部マイクの入力プラグインが設けられているものが存在する。【０００５】
たとえば特許文献１は、内部マイクと外部マイクとを利用可能な音声記録装置を開示している。特許文献１はまた、内部マイクから外部マイクに切り換える際の記録方法も開示している。【０００６】
特許文献１の音声記録装置は、外部マイクの装置への装着の検出手段と、内部マイクと外部マイクとからの音声信号のどちらかを選ぶ選択手段と、モノラルサウンド／ステレオサウンドの記録モードの設定手段並びに音声記録手段とを有し、検出手段、選択手段並びに設定手段からの信号により、記録するための外部マイクまたは内部マイクからの音声信号が選択され音声記録手段によって記録される。
【特許文献１】特開２００４−３４７９９８号公報
【発明の開示】
【発明が解決しようとする課題】
【０００７】
しかしながら、音声信号の記録中に、音声信号を取得するマイクを５ＣＨ内部マイクから２ＣＨ外部マイクに切り換える場合においては、記録方式を５．１ＣＨサラウンドサウンドの記録から２ＣＨステレオサウンドの記録に切り換えると記録された音声信号が不連続になってしまう。【０００８】
また、数ある音声記録フォーマットの中には、１つの記録データ内で５．１ＣＨサラウンドサウンド記録から２ＣＨステレオサウンド記録に切り換えることを禁止し、また２ＣＨステレオサウンド記録から５．１ＣＨサラウンドサウンド記録に切り換えることを禁止しているものがある。【０００９】
本発明の目的は、連続性のある良好な音声信号の記録を行うことができる記録装置および記録方法を提供することである。
【課題を解決するための手段】
【００１０】
本発明による記録装置は、複数種類のマイクを切り替えて、複数のチャネルの音声信号を記録することが可能である。前記複数種類のマイクは、第１のチャネル数に対応した第１マイク、および、第２のチャネル数に対応した第２マイクを含んでおり、かつ、前記第１マイクおよび第２マイクの一方は着脱可能である。前記記録装置は、複数のチャネルの音声信号を受け取って記録媒体に記録する信号処理部と、前記第１マイクを用いて取得した音声信号の記録中に、着脱可能なマイクの着脱を検出すると、前記第２マイクで取得された少なくとも１つの音声信号を含む、前記第１のチャネル数と同じチャネル数の音声信号を前記信号処理部に送るよう信号経路を制御する切換制御部とを備えている。前記信号処理部は、前記信号経路を介して受け取った前記第１のチャネル数と同じチャネル数の音声信号を前記記録媒体に記録する。【００１１】
前記第１マイクは内部に設けられ、前記第２マイクは着脱可能に接続されてもよい。【００１２】
前記第１マイクは着脱可能に接続され、前記第２マイクは内部に設けられていてもよい。【００１３】
前記第１のチャネル数が前記第２のチャネル数より多いときにおいて、前記切換制御部は、前記第２マイクで取得された音声信号および無音の音声信号を含む、前記第１のチャネル数と同じチャネル数の複数の音声信号を前記信号処理部に送るよう信号経路を制御してもよい。【００１４】
前記第１のチャネル数が前記第２のチャネル数より少ないときにおいて、前記切換制御部は、前記第２マイクで取得された複数の音声信号のうち、前記第１のチャネル数と同じチャネル数の音声信号を前記信号処理部に送るよう信号経路を制御してもよい。【００１５】
前記切換制御部は、前記第１マイクを用いて取得した音声信号の記録中に、前記第２マイクが取り付けられたことを検出してもよい。【００１６】
前記切換制御部は、前記第１マイクを用いて取得した音声信号の記録中に、前記第１マイクが取り外されたことを検出してもよい。【００１７】
音声の記録が停止された後において、前記切換制御部は、前記第２マイクで取得された前記第２のチャネル数の音声信号を前記信号処理部に送るよう信号経路を制御してもよい。【００１８】
本発明による記録方法は、複数種類のマイクを切り替えて、複数のチャネルの音声信号を記録することが可能な記録装置を利用して実行される。前記複数種類のマイクは、第１のチャネル数に対応した第１マイク、および、第２のチャネル数に対応した第２マイクを含んでおり、かつ、前記第１マイクおよび第２マイクの一方は着脱可能である。前記記録方法は、複数のチャネルの音声信号を受け取って記録媒体に記録するステップと、前記第１マイクを用いて取得した音声信号の記録中に、着脱可能なマイクの着脱を検出するステップと、マイクの着脱の検出に応答して信号経路を制御し、前記第２マイクで取得された少なくとも１つの音声信号を含む、前記第１のチャネル数と同じチャネル数の音声信号を出力するステップと、前記第１のチャネル数と同じチャネル数の音声信号を前記記録媒体に記録するステップとを包含する。
【発明の効果】
【００１９】
本発明によれば、第１のチャネル数の音声信号の取得に対応した第１マイクを用いて音声信号を記録している最中にマイクの切り替えを検出すると、第２のチャネル数の音声信号の取得に対応した第２マイクで取得された少なくとも１つの音声信号を含む、第１のチャネル数と同じチャネル数の音声信号を記録媒体に記録する。これにより、第１のチャネル数に対応するチャネルについては、切り換え時の音声信号が不連続とならず、連続性を保つことができる。【００２０】
たとえば、５ＣＨ内部マイクで取得された音声信号の記録中に、マイクが２ＣＨ外部マイクに切り換えられたときであっても、または、２ＣＨ外部マイクで取得された音声信号の記録中に、マイクが５ＣＨ内部マイクに切り換えられたときであっても、メインの２チャネルについては切り換え時の音声信号が不連続とならず、連続性を保つことができる。また、メインの２チャネル以外のチャネルには不要な信号が記録されない。【００２１】
また、本発明によればマイクの切り換え前後で記録されるチャネル数は同じである。よって、音声記録フォーマットが、１つの記録データ内における記録チャネル数の変動を禁止していたとしても、そのような音声記録フォーマットに適合した音声信号を記録することができる。
【図面の簡単な説明】
【００２２】
【図１】本発明の実施形態によるビデオカメラ１００の外観を示す図である。
【図２】本発明の実施形態によるビデオカメラ１００の回路のブロック構成を示す図である。
【図３】使用するマイクを５ＣＨ内部マイクから２ＣＨ外部マイクに切り換えたときの、音声信号の切り換えタイミングを示す図である。
【図４】５ＣＨ内部マイク１を用いて音声を記録している最中に、マイクを２ＣＨ外部マイク２に切り換えたときの処理の手順を示すフローチャートである。
【図５】使用するマイクを２ＣＨ外部マイクから５ＣＨ内部マイクに切り換えたときの、音声信号の切り換えタイミングを示す図である。
【図６】２ＣＨ外部マイク２を用いて音声を記録している最中に、マイクを５ＣＨ内部マイク１に切り換えたときの処理の手順を示すフローチャートである。
【符号の説明】
【００２３】
１  ５ＣＨ内部マイク
２  ２ＣＨ外部マイク
３  外部マイクジャック
４  外部マイク入力端子
５  マイクジャック検出スイッチ
６  フロントマイク切換スイッチユニット
７  センター／リアマイク切換スイッチユニット
８  マイコン
９  ノイズフィルターＡ／Ｄ変換
１０  ＡＣ−３コーデック
２０  記録開始停止スイッチ
２３  Ｈ．２６４コーデック
２４  信号処理回路
２５  メモリカードスロット
２６  記録媒体
１００  ビデオカメラ
【発明を実施するための最良の形態】
【００２４】
以下、添付の図面を参照しながら、本発明による記録装置の実施形態を説明する。【００２５】
（実施形態１）
図１は、本実施形態によるビデオカメラ１００の外観を示す。ビデオカメラ１００は、映像および音声をデータ化して映像情報および音声情報として記録媒体２６に記録することが可能である。【００２６】
ビデオカメラ１００は、撮影開始／停止スイッチ２０およびメモリカードスロット２５を有している。使用者がメモリカードスロット２５に予め記録媒体２６を挿入しておき、スイッチ２０を操作すると、ビデオカメラ１００は映像および音声の記録を開始する。使用者が再度スイッチ２０を操作すると、ビデオカメラ１００は記録を停止する。【００２７】
映像および音声は、ビデオカメラ１００に設けられた撮像光学系（図示せず）およびマイク１によって取得される。マイク１は、ビデオカメラ１００の上面に内蔵されており、複数のマイクで構成されている。マイク１を構成する各マイクの詳細は図２を参照しながら後述する。【００２８】
ビデオカメラ１００はさらに、外部マイク入力端子４を備えている。外部マイク入力端子４は、ビデオカメラ１００とは別体の外部マイク２を取り付けるために利用される。外部マイク２の外部マイクジャック３が外部マイク入力端子４に差し込まれることにより、外部マイク２とビデオカメラ１００とが接続される。その結果、ビデオカメラ１００は外部マイク２で取得した音声を録音可能になる。また外部マイク２がビデオカメラ１００から取り外されると、ビデオカメラ１００は内部マイク１で取得した音声を録音可能になる。外部マイク２が取り付けられている状態においては、使用者が内部マイク１または外部マイク２を選択できるようにしてもよい。【００２９】
本件明細書では、外部マイク２に対して、マイク１を「内部マイク１」とも呼ぶ。【００３０】
図２は本実施形態によるビデオカメラ１００の回路のブロック構成を示す。説明の便宜のため、図２は外部マイク２が取り付けられた状態を示しており、また記録媒体２６も示している。【００３１】
ビデオカメラ１００は、内部マイク１と、外部マイク入力端子４と、フロントマイク切換スイッチユニット６と、センター／リアマイク切換スイッチユニット７と、マイコン８と、ノイズフィルターおよびＡ／Ｄ変換部９と、記録開始停止スイッチ２０と、信号処理回路２４とを備えている。【００３２】
以下、各構成要素を説明する。【００３３】
マイク１は、フロントレフト（ＦＬ）マイク１１と、フロントライト（ＦＲ）マイク１２と、センター（Ｃ）マイク１３と、リアレフト（ＲＬ）マイク１４と、リアライト（ＲＲ）マイク１５とで構成されている。ＦＬマイク１１は、左前方からの音声を取得する。ＦＲマイク１２は右前方からの音声を取得する。Ｃマイク１３は前方正面からの音声を取得する。ＲＬマイク１４は左後方からの音声を取得する。ＲＲマイク１５は、右後方からの音声を取得する。各マイク１１〜１５は、取得した音声に基づいて音声信号を出力する。マイク１により、５チャネルの音声信号を得ることができる。【００３４】
一方、外部マイク２は、レフト（Ｌ）マイク２１と、ライト（Ｒ）マイク２２とで構成されている。Ｌマイク２１は左前方からの音声を取得し、Ｒマイク２２は右前方からの音声を取得する。外部マイク２を用いると、２チャネルの音声信号を取得可能である。【００３５】
外部マイク入力端子４は、マイクジャック検出スイッチ５を備えている。マイクジャック検出スイッチ５（以下「検出スイッチ５」と記述する。）は、２ＣＨ外部マイク２が着脱されたときの電圧変化を検出することにより、２ＣＨ外部マイク２が着脱されたことを検出する。具体的には、検出スイッチ５は、外部マイク２の外部マイクジャック３が外部マイク入力端子４に挿入されたこと、または、外部マイク入力端子４に挿入されている外部マイクジャック３が取り外されたことを検出する。本願明細書において、マイクの切り換えを検出する、とは、外部マイク２がビデオカメラ１００に取り付けられたこと、または、外部マイク２がビデオカメラ１００から取り外されたことを意味する。【００３６】
フロントマイク切換スイッチユニット６（以下「Ｆスイッチユニット６」と記述する。）は、フロントレフト（ＦＬ）マイク切換スイッチ６１およびフロントライト（ＦＲ）マイク切換スイッチ６２を有しており、マイコン８からの制御信号に基づいて各スイッチ６１および６２を制御して、信号経路ａまたは信号経路ｂを形成する。信号経路ａに切り換えられたときは、内部マイク１のＦＬマイク１１およびＦＲマイク１２で取得された各音声信号がノイズフィルターおよびＡ／Ｄ変換部９に送られる。信号経路ｂに切り換えられたときは、外部マイク２のＬマイク２１とＲマイク２２で取得された各音声信号がノイズフィルターおよびＡ／Ｄ変換部９に送られる。【００３７】
センター／リアマイク切換スイッチユニット７（以下「Ｃ／Ｒスイッチユニット７」と記述する。）は、センター（Ｃ）マイク切換スイッチ７１、リアレフト（ＲＬ）マイク切換スイッチ７２およびリアライト（ＲＲ）マイク切換スイッチ７３を有しており、マイコン８からの制御信号に基づいて各スイッチ７１、７２および７３を制御して、信号経路ａまたは信号経路ｂを形成する。信号経路ａに切り換えられたときは、内部マイク１のＣマイク１３、ＲＬマイク１４およびＲＲマイク１５で取得された各音声信号がノイズフィルターおよびＡ／Ｄ変換部９に送られる。信号経路ｂに切り換えられたときは、Ｃマイク１３、ＲＬマイク１４およびＲＲマイク１５に対応するチャネル数の無音の音声信号がノイズフィルターおよびＡ／Ｄ変換部９に送られる。なお、無音の音声信号は端子をグランド接地することにより生成される。【００３８】
ノイズフィルターおよびＡ／Ｄ変換部９は、雑音消去と内部マイク１または外部マイク２のアナログ音声信号をデジタル音声信号に変換する。【００３９】
信号処理回路２４は、ＡＣ−３コーデック１０およびＨ．２６４コーデック２３を含む。ＡＣ−３コーデック１０は、音声信号を、２ＣＨまたは５．１ＣＨのＡＣ−３フォーマットに符号化し、復号化する。Ｈ．２６４コーデック２３は、ＡＣ−３コーデック１０から出力された音声信号、および、ビデオカメラ１００の撮像光学系から出力された映像信号を符号化し、復号化する。そしてＨ．２６４コーデック２３は、音声信号と共に映像信号を記録媒体２６に記録する。【００４０】
記録開始停止スイッチ２０は、使用者が記録の開始および停止を操作するために利用される。【００４１】
マイコン８は、ビデオカメラ１００内の種々の回路に制御信号を出力してビデオカメラ１００全体を制御する。たとえばマイコン８は、記録開始停止スイッチ２０の押下に応答してビデオ撮影の開始を指示し、同時に信号処理回路２４に対して映像信号および音声信号の処理の開始を指示する。マイコン８は、映像信号および／または音声信号の記録中に、電圧の変化を検出したことの通知を検出スイッチ５から受け取ると、外部マイク２が着脱されたこと、すなわち録音に使用するマイクが切り替えられたことを検出する。その結果、Ｆスイッチユニット６およびＣ／Ｒスイッチユニット７に対して信号経路を切り換えるように制御信号を出力する。【００４２】
次に、ビデオカメラ１００の動作、特に音声の録音に関する動作を説明する。【００４３】
（１）記録開始時に５ＣＨ内部マイク１を用いるときのビデオカメラ１００の動作
図３は、使用するマイクを５ＣＨ内部マイクから２ＣＨ外部マイクに切り換えたときの、音声信号の切り換えタイミングを示す図である。図３の上段にはビデオカメラ１００の動作タイミングＳ１〜Ｓ５が示されており、その下から順に、記録状態Ａ１、使用マイクＡ２および音声信号記録のフォーマットＡ３が示されている。【００４４】
図３の上段に示すタイミングＳ１は記録開始であり、タイミングＳ２はマイク切り換えであり、タイミングＳ３は記録停止であり、タイミングＳ４は再度の記録開始であり、タイミングＳ５はその記録停止である。【００４５】
タイミングＳ１では、記録状態Ａ１は「記録」が行われることを示し、使用マイクＡ２は５ＣＨ内部マイクであることを示し、音声信号記録Ａ３は５．１ＣＨサラウンドサウンドの音声信号の記録を意味している。【００４６】
記録状態Ａ１が記録を示している状態で（すなわち記録中に）、タイミングＳ２において２ＣＨ外部マイクの取り付けが検出されると、ビデオカメラ１００は、音声信号記録Ａ３に示すように、以後も引き続き、５．１ＣＨサラウンドサウンドの記録を継続する。ただしこのとき、使用マイクＡ２は２ＣＨ外部マイクに変更される。そして、２ＣＨ外部マイクのＬマイクおよびＲマイクからの音声信号が利用され、かつ、残りの３チャネル分の無音の音声信号が利用されて、５．１ＣＨサラウンドサウンドの記録が継続される。【００４７】
タイミングＳ３で記録が停止されると、記録状態Ａ２は記録停止に遷移する。【００４８】
その後、使用マイクＡ２が２ＣＨ外部マイクのままタイミングＴ４において記録開始の指示が与えられると、記録が開始される。その結果、記録状態Ａ２は記録を示している状態に戻る。使用マイクＡ２のＬマイク２１とＲマイク２２とを利用して取得された音声信号は、ステレオサウンドで記録される。【００４９】
以下、上述のタイミングＳ１〜Ｓ５に沿ってビデオカメラ１００の動作を詳細に説明する。【００５０】
まず、５ＣＨ内部マイク１の各マイク１１〜１５で取得された音声信号を記録中に、２ＣＨ外部マイクが取り付けられたときの動作を説明する。このときの動作は、図３のタイミングＳ１からタイミングＳ２経過後までの動作に対応する。【００５１】
記録停止状態から使用者が記録開始停止スイッチ２０を操作したタイミングＳ１において、マイコン８は、検出スイッチ５からの入力信号により２ＣＨ外部マイク２が接続されていないことを検出する。これにより、マイコン８は、５ＣＨ内部マイク１を使用して音声信号を記録すると判断する。なお、外部マイク入力端子４に２ＣＨ外部マイク２の外部マイクジャック３が接続されていないときは、マイコン８は、検出スイッチ５からの入力信号により２ＣＨ外部マイク２が接続されていないことを継続して検出する。【００５２】
マイコン８はＦスイッチユニット６およびＣ／Ｒスイッチユニット７内に設けられた各スイッチ６１、６２、７１、７２、７３を制御して、信号経路ａを形成する。これにより、ＦＬマイク１１とＦＲマイク１２で取得された音声信号はＦスイッチユニット６に送られる。またＣマイク１３とＲＬマイク１４とＲＲマイク１５で取得された音声信号はＣ／Ｒスイッチユニット７に送られる。各音声信号は、ノイズフィルターおよびＡ／Ｄ変換部９に送られて雑音を消去され、Ａ／Ｄ変換されて、ＡＣ−３コーデック１０に入力される。【００５３】
マイコン８がＡＣ−３コーデック１０に対して５．１チャネル（ＣＨ）のＡＣ−３エンコードを指示すると、ＡＣ−３コーデック１０は、ＡＣ−３エンコードされた５．１ＣＨサラウンドサウンドの音声信号をＨ．２６４コーデック２３に出力する。【００５４】
Ｈ．２６４コーデック２３は、映像信号１１と共に５．１ＣＨサウンドサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して５．１ＣＨサラウンドサウンドを含む映像・音声信号の記録を行う。【００５５】
その後、タイミングＳ２において、５ＣＨ内部マイク１で５．１ＣＨサラウンドサウンドの記録を行っている状態で、２ＣＨ外部マイク２の外部マイクジャック３が外部マイク入力端子４に接続されたときのビデオカメラ１００の動作を説明する。【００５６】
マイコン８は、検出スイッチ５から入力された信号により、２ＣＨ外部マイク２が接続されたことを検出する。【００５７】
マイコン８はＦスイッチユニット６およびＣ／Ｒスイッチユニット７内に設けられた各スイッチ６１、６２、７１、７２、７３を制御して、信号経路ｂを形成する。これにより、Ｌマイク２１とＲマイク２２で取得された音声信号はＦスイッチユニット６に送られる。また残りのチャネルからの音声信号（Ｃマイク１３とＲＬマイク１４とＲＲマイク１５）はノイズフィルターおよびＡ／Ｄ変換部９には送られない。Ｃ／Ｒスイッチユニット７におけるグランド接地により、これらに対応する無音の音声信号がノイズフィルターＡ／Ｄ変換９に送られて雑音消去とＡ／Ｄ変換が行われてＡＣ−３コーデック１０に入力される。【００５８】
マイコン８は、記録状態であるため、ＡＣ−３コーデック１０にＡＣ−３エンコードを引き続き実行させる。ＡＣ−３コーデック１０は、５．１ＣＨサラウンドサウンドの音声信号を生成してＨ．２６４コーデック２３に出力する。Ｈ．２６４コーデック２３は、映像信号１１と共に５．１ＣＨサラウンドサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して５．１ＣＨサラウンドサウンドを含む映像・音声信号の記録を行う。【００５９】
この結果、２ＣＨ外部マイク２のＬマイク２１とＲマイク２２の音声信号を用い、かつ、残りのチャネルは無音で５．１ＣＨサラウンドサウンド記録が継続される。【００６０】
ここで、２ＣＨ外部マイク２を用いて５．１ＣＨサラウンドサウンド記録が行われているときに、２ＣＨ外部マイク２が取り外されたときの処理を説明する。この処理は、たとえば図３のタイミングＳ３が記録停止ではなく、タイミングＳ２と同様のマイク切り換えが行われたときに実行される。【００６１】
使用者が、外部マイク入力端子４から２ＣＨ外部マイク２の外部マイクジャック３を取り外す。するとマイコン８は、検出スイッチ５から入力された信号により、２ＣＨ外部マイク２が取り外されたことを検出し、その結果、マイクの切り換えを検出する。すると、マイコン８はＦスイッチユニット６およびＣ／Ｒスイッチユニット７内に設けられた各スイッチ６１、６２、７１、７２、７３を制御して、信号経路ａを形成する。これにより、再び図３のタイミングＳ１からＳ２までの間に行われた処理が実行される。よって、ビデオカメラ１００は、５ＣＨ内部マイク１のマイク１１〜１５で取得された音声信号を用いて５．１ＣＨサラウンドサウンド記録を継続することができる。【００６２】
次に、２ＣＨ外部マイク２を用いて取得された５．１ＣＨサラウンドサウンドの記録中に記録停止を行い、再度記録開始するときの処理を説明する。【００６３】
タイミングＳ３において、記録状態から使用者が記録開始停止スイッチ２０を操作すると、マイコン８はＡＣ−３コーデック１０にＡＣ−３エンコード停止を指示し、ＡＣ−３コーデック１０はエンコードを停止する。同時にマイコン８は、記録媒体２６に対して記録停止のための制御を行い、５．１ＣＨサラウンドサウンド記録を停止する。【００６４】
タイミングＳ４において、使用者が再度記録開始停止スイッチ２０を操作すると、マイコン８は、記録の連続性が必要ないこと、および、検出スイッチ５から入力された信号によって２ＣＨ外部マイク２が接続されたことを検出する。するとマイコン８は、ＡＣ−３コーデック１０に対して、５．１チャネルではなく２ＣＨのＡＣ−３エンコードを指示する。ＡＣ−３コーデック１０が２ＣＨステレオサウンドの音声信号をＨ．２６４コーデック２３に出力すると、Ｈ．２６４コーデック２３は、映像信号１１と共に２ＣＨステレオサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して２ＣＨステレオサウンドを含む映像・音声信号の記録を行う。【００６５】
上述の説明から明らかなように、ビデオカメラ１００は、２ＣＨ外部マイク２を用いて５．１チャネルサウンドの記録を行っていたときに記録を一旦停止すると、その後記録の開始が指示されたときは２ＣＨ外部マイク２を利用して２ＣＨステレオサウンドの記録を行う。【００６６】
図４は、５ＣＨマイク１を用いて音声を記録している最中に、マイクを２ＣＨ外部マイク２に切り換えたときの処理の手順を示す。このとき、５．１ＣＨサラウンドサウンドの音声信号が記録されている。【００６７】
ステップＳ４１において、マイコン８の制御にしたがって、ビデオカメラ１００は５ＣＨ内部マイク１で音声を取得し、記録媒体２６への音声信号の記録を継続する。【００６８】
ステップＳ４２において、２ＣＨ外部マイク２の取り付けに起因して検出スイッチ５によって電圧変化が検出されると、マイコン８は、５ＣＨ内部マイク１から２ＣＨ外部マイク２への切り換えを検出する。【００６９】
ステップＳ４３において、マイコン８は、音声信号を取得する信号経路を、２ＣＨ外部マイク２からの音声信号を取得する信号経路ｂに切り換える。【００７０】
その結果、ステップＳ４４において、２ＣＨ外部マイク２のレフト（Ｌ）およびライト（Ｒ）で２チャネルの音声信号（有音）が取得され、ステップＳ４５において、センター（Ｃ）、リアレフト（ＲＬ）およびリアライト（ＲＲ）に対応する３チャネルの音声信号（無音）が取得される。【００７１】
ステップＳ４６においては、ノイズフィルターおよびＡ／Ｄ変換部９、ＡＣ−３コーデック１０およびＨ．２６４コーデック２３は、合計５ＣＨの音声信号、すなわち２チャネルの有音音声信号および３チャネルの無音音声信号を処理し、得られた５．１ＣＨサラウンドサウンドの音声信号を記録媒体２６へ継続的に記録する。【００７２】
そしてステップＳ４７において、ビデオカメラ１００は記録停止の指示があるまで、２ＣＨ外部マイク２を利用した５．１ＣＨサラウンドサウンドの記録を継続する。【００７３】
以上の処理によれば、マイク切り換え時に音声信号の記録フォーマットが変化することがないため、音声信号の連続性を保つことができる。また、レフト（Ｌ）チャネルおよびライト（Ｒ）チャネルには有音の音声信号が記録されるが、それ以外のチャネルの音声は無音であるため、５．１ＣＨサラウンドサウンドで記録されているにもかかわらず実質的には２ＣＨステレオサウンドで記録されていることと同じになる。よって、ユーザの希望に沿った音声記録を実現できる。【００７４】
（２）記録開始時に２ＣＨ内部マイク１を用いるときのビデオカメラ１００の動作
図５は、使用するマイクを２ＣＨ外部マイクから５ＣＨ内部マイクに切り換えたときの、音声信号の切り換えタイミングを示す図である。図５の上段にはビデオカメラ１００の動作タイミングＴ１〜Ｔ５が示されており、その下から順に、記録状態Ｂ１、使用マイクＢ２および音声信号記録のフォーマットＢ３が示されている。図５の記載方法は図３に準じている。【００７５】
記録状態Ｂ１が記録を示している状態で（すなわち記録中に）、タイミングＴ２において２ＣＨ外部マイク２の取り外しが検出されると、マイコン８はマイクの切り換えを検出する。ビデオカメラ１００は、音声信号記録Ｂ３に示すように、以後も引き続き、２ＣＨステレオサウンドの記録を継続する。ただしこのとき、使用マイクＢ２は５ＣＨ内部マイクに変更される。そして、５ＣＨ内部マイク１の音声信号の一部のみが記録される。具体的には、ＦＬマイク１１およびＦＲマイク１２からの音声信号のみが利用され、残りの３チャネル（Ｃマイク１３、ＲＬマイク１４およびＲＲマイク１５）で取得された音声信号は利用されない。その結果、２ＣＨステレオサウンドの記録が継続される。【００７６】
タイミングＴ３で記録が停止されると、記録状態Ｂ２は記録停止に遷移する。【００７７】
その後、使用マイクＢ２が５ＣＨ内部マイク１のまま、タイミングＴ４において記録開始の指示が与えられると、記録が開始される。その結果、記録状態Ｂ２は記録を示している状態に戻る。使用マイクＢ２に示されるように、５ＣＨ内部マイク１で取得された音声信号の全部が、５．１ＣＨサラウンドサウンドで記録される。【００７８】
以下、上述のタイミングＴ１〜Ｔ５に沿ってビデオカメラ１００の動作を詳細に説明する。【００７９】
記録停止状態から使用者が記録開始停止スイッチ２０を操作したタイミングＴ１において、マイコン８は、検出スイッチ５からの入力信号により２ＣＨ外部マイク２が接続されていることを検出する。これにより、マイコン８は、２ＣＨ外部マイク２を使用して音声信号を記録すると判断する。【００８０】
マイコン８はＦスイッチユニット６およびＣ／Ｒスイッチユニット７内に設けられた各スイッチ６１、６２、７１、７２、７３を制御して、信号経路ｂを形成する。これにより、Ｌマイク２１とＲマイク２２で取得された音声信号はＦスイッチユニット６を介してノイズフィルターおよびＡ／Ｄ変換部９に送られる。また残りのチャネルからの音声信号（Ｃマイク１３とＲＬマイク１４とＲＲマイク１５）はノイズフィルターおよびＡ／Ｄ変換部９には送られない。Ｃ／Ｒスイッチユニット７におけるグランド接地により、これらに対応する無音の音声信号がノイズフィルターＡ／Ｄ変換９に送られて雑音消去とＡ／Ｄ変換が行われてＡＣ−３コーデック１０に入力される。【００８１】
マイコン８がＡＣ−３コーデック１０に対して２チャネルの音声信号のＡＣ−３エンコードを指示すると、ＡＣ−３コーデック１０は、ＡＣ−３エンコードされた２ＣＨステレオサウンドの音声信号をＨ．２６４コーデック２３に出力する。ＡＣ−３コーデック１０は、無音の音声信号の処理は行わない。【００８２】
Ｈ．２６４コーデック２３は、映像信号１１と共に２ＣＨステレオサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して２ＣＨステレオサウンドを含む映像・音声信号の記録を行う。【００８３】
その後、タイミングＴ２において、２ＣＨ内部マイク１で２ＣＨステレオサウンドの記録を行っている状態で、２ＣＨ外部マイク２の外部マイクジャック３が外部マイク入力端子４から取り外されたときのビデオカメラ１００の動作を説明する。【００８４】
マイコン８は、検出スイッチ５から入力された信号により、２ＣＨ外部マイク２が取り外されたことを検出する。【００８５】
マイコン８はＦスイッチユニット６およびＣ／Ｒスイッチユニット７内に設けられた各スイッチ６１および６２を制御して、信号経路ａを形成する。一方、各スイッチ７１、７２および７３については、引き続き信号経路ｂを保持する。【００８６】
これにより、ＦＬマイク１１とＦＲマイク１２で取得された音声信号はＦスイッチユニット６に送られる。またＣマイク１３とＲＬマイク１４とＲＲマイク１５で取得された音声信号はノイズフィルターおよびＡ／Ｄ変換部９には送られない。Ｃ／Ｒスイッチユニット７におけるグランド接地により、これらに対応する無音の音声信号がノイズフィルターＡ／Ｄ変換９に送られて雑音消去とＡ／Ｄ変換が行われてＡＣ−３コーデック１０に入力される。【００８７】
マイコン８は、記録状態であるため、ＡＣ−３コーデック１０にＡＣ−３エンコードを引き続き実行させる。ＡＣ−３コーデック１０は、２ＣＨステレオサウンドの音声信号を生成してＨ．２６４コーデック２３に出力する。【００８８】
Ｈ．２６４コーデック２３は、映像信号１１と共に２チャネルの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して２ＣＨステレオサウンドを含む映像・音声信号の記録を行う。【００８９】
この結果、５ＣＨ内部マイク１のＦＬマイク１１とＦＲマイク１２の音声信号を用いて２ＣＨステレオサウンド記録が継続される。【００９０】
ここで、５ＣＨ内部マイク１を用いて２ＣＨステレオサウンド記録が行われているときに、２ＣＨ外部マイク２が取り付けられたときの処理を説明する。この処理は、たとえば図５のタイミングＴ３が記録停止ではなく、タイミングＴ２と同様のマイク切り換えが行われたときに実行される。【００９１】
使用者が、外部マイク入力端子４に２ＣＨ外部マイク２の外部マイクジャック３を取り付ける。するとマイコン８は、検出スイッチ５から入力された信号により、２ＣＨ外部マイク２が取り付けられたことを検出し、その結果、マイクの切り換えを検出する。すると、マイコン８はＦスイッチユニット６およびＣ／Ｒスイッチユニット７内に設けられた各スイッチ６１、６２、７１、７２、７３を制御して、信号経路ｂを形成する。これにより、再び図５のタイミングＴ１からＴ２までの間に行われた処理が実行される。よって、ビデオカメラ１００は、２ＣＨの内部マイク１で取得された音声信号を用いて２ＣＨステレオサウンド記録を継続することができる。【００９２】
次に、５ＣＨ内部マイク１を用いて取得された２ＣＨステレオサウンドの記録中に記録停止を行い、再度記録開始するときの処理を説明する。【００９３】
タイミングＴ３において、記録状態から使用者が記録開始停止スイッチ２０を操作すると、マイコン８はＡＣ−３コーデック１０にＡＣ−３エンコード停止を指示し、ＡＣ−３コーデック１０はエンコードを停止する。同時にマイコン８は、記録媒体２６に対して記録停止のための制御を行い、２ＣＨステレオサウンド記録を停止する。【００９４】
タイミングＴ４において、使用者が再度記録開始停止スイッチ２０を操作すると、マイコン８は、記録の連続性が必要ないこと、および、検出スイッチ５から入力された信号によって２ＣＨ外部マイク２が取り付けられていないことを検出する。するとマイコン８は、ＡＣ−３コーデック１０に対して、２チャネルではなく５．１ＣＨのＡＣ−３エンコードを指示する。ＡＣ−３コーデック１０が５．１ＣＨサラウンドサウンドの音声信号をＨ．２６４コーデック２３に出力すると、Ｈ．２６４コーデック２３は、映像信号１１と共に５．１ＣＨサラウンドサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して５．１ＣＨサラウンドサウンドを含む映像・音声信号の記録を行う。【００９５】
ビデオカメラ１００は、５ＣＨ内部マイク１を用いて２チャネルサウンドの記録を行っていたときに記録を一旦停止すると、その後記録の開始が指示されたときは５ＣＨ内部マイク１を利用して５．１ＣＨサラウンドサウンドの記録を行う。【００９６】
図６は、２ＣＨ外部マイク２を用いて音声を記録している最中に、マイクを５ＣＨ内部マイク１に切り換えたときの処理の手順を示す。このとき、２ＣＨステレオサウンドの音声信号が記録されている。【００９７】
ステップＳ６１において、マイコン８の制御にしたがって、ビデオカメラ１００は２ＣＨ外部マイク２で音声を取得し、記録媒体２６への音声信号の記録を継続する。【００９８】
ステップＳ６２において、２ＣＨ外部マイク２の取り外しに起因して検出スイッチ５によって電圧変化が検出されると、マイコン８は、２ＣＨ外部マイク２から５ＣＨ内部マイク１への切り換えを検出する。【００９９】
ステップＳ６３において、マイコン８は、音声信号を取得する信号経路を、５ＣＨ内部マイク１からの音声信号を取得する信号経路ａに切り換える。【０１００】
その結果、ステップＳ４４において、５ＣＨ内部マイク１のフロントレフト（ＦＬ）およびフロントライト（ＦＲ）で２チャネルの音声信号（有音）が取得され、ステップＳ４５において、センター（Ｃ）、リアレフト（ＲＬ）およびリアライト（ＲＲ）に対応する３チャネルの音声信号（無音）が取得される。【０１０１】
ステップＳ６６においては、ノイズフィルターおよびＡ／Ｄ変換部９、ＡＣ−３コーデック１０およびＨ．２６４コーデック２３は、２ＣＨの有音音声信号を処理し、得られた２ＣＨステレオサウンドの音声信号を記録媒体２６へ継続的に記録する。【０１０２】
そしてステップＳ６７において、ビデオカメラ１００は記録停止の指示があるまで、５ＣＨ内部マイク１を利用した２ＣＨステレオサウンドの記録を継続する。【０１０３】
以上の処理によれば、マイク切り換え時に音声信号の記録フォーマットが変化することがないため、音声信号の連続性を保つことができる。【０１０４】
以上、本発明による記録装置の例として、ビデオカメラの実施形態を例に挙げて説明した。【０１０５】
上述の図４および図６に示す処理は、マイコン８がメモリ（図示せず）に格納された、種々の実行コードから構成されたコンピュータプログラムを実行することによって実現される。そのようなコンピュータプログラムは製品としてＣＤ−ＲＯＭ等の光ディスク、メモリカード等の半導体メモリなどに代表される記録媒体２６に記録されて市場に流通され、または、インターネット等の電気通信回線を通じて伝送され得る。【０１０６】
マイコン８は、半導体回路にコンピュータプログラムを組み込んだＤＳＰ、チップ回路、光ディスクコントローラ等のハードウェアとして実現することも可能であるし、メモリ上に展開されたコンピュータプログラムを汎用のプロセッサに実行させることによって実現することも可能である。【０１０７】
本実施形態では音声コーデックとしてＡＣ−３を挙げて説明したが、これに限るものではない。ＡＭＲ、ＭＰ３等の他の音声コーデックであっても採用できる。また本実施形態では映像・音声の圧縮方式としてＨ．２６４を挙げて説明したが、これに限るものではない。ＭＰＥＧ２、ＭＰＥＧ４等の他の方式であっても採用できる。【０１０８】
上述の図２に示される信号処理回路２４においては、ＡＣ−３コーデック１０およびＨ．２６４コーデック２３は別々の回路として実装されているが、これは例である。１つの回路、すなわち信号処理回路２４がＡＣ−３コーデック１０およびＨ．２６４コーデック２３の処理を並列的に行ってもよい。【０１０９】
本発明による記録装置は、ビデオカメラのような映像の記録を前提とした機器に限られない。内部マイクと外部マイクとを利用可能な記録装置であれば、たとえばボイスレコーダのような機器としても実施できる。【０１１０】
上述の本実施形態においては、内部マイク１で取得できるチャネル数と、外部マイク２で取得できるチャネル数とが異なるとしているが、仮に同じであってもよい。ビデオカメラは、内部マイクのチャネル数と外部マイクのチャネル数が同じときも問題なく動作する。
【産業上の利用可能性】
【０１１１】
本発明の記録装置は、たとえばビデオカメラとして製造される。ビデオカメラは、撮影記録中に、音声信号を取得するためのマイクが異なる種類のマイクに切り換えられた場合、使用するマイクを切り換えつつも音声信号記録フォーマットを保持し、連続性のある音声信号の記録を行う。チャネル数が異なる音声入力を持ち、記録の連続性の必要な音声記録機器の用途として有用である。【０１１２】
より具体的には、５ＣＨ内部マイクを利用していわゆる５．１ＣＨサラウンドサウンドの音声信号を記録している最中に、マイクが２ＣＨ外部マイクに切り換えられた時において、音声信号が不連続にならないように音声信号を記録することができる。また、ビデオカメラは、２ＣＨ外部マイクを利用した音声信号の記録中にマイクが５ＣＨ内部マイクに切り換えられた時においても、音声信号が不連続にならないように音声信号を記録することができる。
【図１】
2008056572.tif 000003
【図２】
2008056572.tif 000004
【図３】
2008056572.tif 000005
【図４】
2008056572.tif 000006
【図５】
2008056572.tif 000007
【図６】
2008056572.tif 000008
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
複数種類のマイクを切り替えて、複数のチャネルの音声信号を記録することが可能な記録装置であって、
前記複数種類のマイクは、第１のチャネル数に対応した第１マイク、および、第２のチャネル数に対応した第２マイクを含んでおり、かつ、前記第１マイクおよび前記第２マイクの一方は着脱可能であり、
複数のチャネルの音声信号を受け取って記録媒体に記録する信号処理部と、
前記第１マイクを用いて取得した音声信号の記録中に、着脱可能なマイクの着脱を検出すると、前記第２マイクで取得された少なくとも１つの音声信号を含む、前記第１のチャネル数と同じチャネル数の音声信号を前記信号処理部に送るよう信号経路を制御する切換制御部と
を備え、前記信号処理部は、前記信号経路を介して受け取った前記第１のチャネル数と同じチャネル数の音声信号を前記記録媒体に記録し、
前記第１のチャネル数が前記第２のチャネル数より多いときにおいて、
前記切換制御部は、前記第２マイクで取得された音声信号および無音の音声信号を含む、前記第１のチャネル数と同じチャネル数の複数の音声信号を前記信号処理部に送るよう信号経路を制御する、記録装置。
【請求項２】
前記第１マイクは内部に設けられ、前記第２マイクは着脱可能に接続される、請求の範囲１に記載の記録装置。
【請求項３】
複数種類のマイクを切り替えて、複数のチャネルの音声信号を記録することが可能な記録装置であって、
前記複数種類のマイクは、第１のチャネル数に対応した第１マイク、および、第２のチャネル数に対応した第２マイクを含んでおり、かつ、前記第１マイクおよび前記第２マイクの一方は着脱可能であり、
複数のチャネルの音声信号を受け取って記録媒体に記録する信号処理部と、
前記第１マイクを用いて取得した音声信号の記録中に、着脱可能なマイクの着脱を検出すると、前記第２マイクで取得された少なくとも１つの音声信号を含む、前記第１のチャネル数と同じチャネル数の音声信号を前記信号処理部に送るよう信号経路を制御する切換制御部と
を備えた記録装置であって、
前記信号処理部は、前記信号経路を介して受け取った前記第１のチャネル数と同じチャネル数の音声信号を前記記録媒体に記録し、
前記第１のチャネル数が前記第２のチャネル数より少ないときにおいて、
前記切換制御部は、前記第２マイクで取得された複数の音声信号のうち、前記第１のチャネル数と同じチャネル数の音声信号を前記信号処理部に送るよう信号経路を制御する、記録装置。
【請求項４】
（削除）
【請求項５】
前記第１マイクは着脱可能に接続され、前記第２マイクは内部に設けられている、請求の範囲３に記載の記録装置。
【請求項６】
前記切換制御部は、前記第１マイクを用いて取得した音声信号の記録中に、前記第２マイクが取り付けられたことを検出する、請求の範囲２に記載の記録装置。
【請求項７】
前記切換制御部は、前記第１マイクを用いて取得した音声信号の記録中に、前記第１マイクが取り外されたことを検出する、請求の範囲５に記載の記録装置。
【請求項８】
音声の記録が停止された後において、
前記切換制御部は、前記第２マイクで取得された前記第２のチャネル数の音声信号を前記信号処理部に送るよう信号経路を制御する、請求の範囲１に記載の記録装置。
【請求項９】
複数種類のマイクを切り替えて、複数のチャネルの音声信号を記録することが可能な記録装置を利用して実行される方法であって、
前記複数種類のマイクは、第１のチャネル数に対応した第１マイク、および、第２のチャネル数に対応した第２マイクを含んでおり、かつ、前記第１マイクおよび前記第２マイクの一方は着脱可能であり、
複数のチャネルの音声信号を受け取って記録媒体に記録するステップと、
前記第１マイクを用いて取得した音声信号の記録中に、着脱可能なマイクの着脱を検出するステップと、
マイクの着脱の検出に応答して信号経路を制御し、前記第２マイクで取得された少なくとも１つの音声信号を含む、前記第１のチャネル数と同じチャネル数の音声信号を出力するステップと、
前記第１のチャネル数と同じチャネル数の音声信号を前記記録媒体に記録するステップと
を包含し、
前記第１のチャネル数が前記第２のチャネル数より多いときにおいて、
前記音声信号を出力するステップは、前記信号経路を制御して、前記第２マイクで取得された音声信号および無音の音声信号を含む、前記第１のチャネル数と同じチャネル数の複数の音声信号を出力する、記録方法。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
複数種類のマイクを切り替えて、複数のチャネルの音声信号を記録することが可能な記録装置であって、
前記複数種類のマイクは、第１のチャネル数に対応した第１マイク、および、第２のチャネル数に対応した第２マイクを含んでおり、かつ、前記第１マイクおよび前記第２マイクの一方は着脱可能であり、
複数のチャネルの音声信号を受け取って記録媒体に記録する信号処理部と、
前記第１マイクを用いて取得した音声信号の記録中に、着脱可能なマイクの着脱を検出すると、前記第２マイクで取得された少なくとも１つの音声信号を含む、前記第１のチャネル数と同じチャネル数の音声信号を前記信号処理部に送るよう信号経路を制御する切換制御部と
を備え、前記信号処理部は、前記信号経路を介して受け取った前記第１のチャネル数と同じチャネル数の音声信号を前記記録媒体に記録し、
前記第１のチャネル数が前記第２のチャネル数より多いときにおいて、
前記切換制御部は、前記第２マイクで取得された音声信号および無音の音声信号を含む、前記第１のチャネル数と同じチャネル数の複数の音声信号を前記信号処理部に送るよう信号経路を制御する、記録装置。
【請求項２】
前記第１マイクは内部に設けられ、前記第２マイクは着脱可能に接続される、請求の範囲１に記載の記録装置。
【請求項３】
複数種類のマイクを切り替えて、複数のチャネルの音声信号を記録することが可能な記録装置であって、
前記複数種類のマイクは、第１のチャネル数に対応した第１マイク、および、第２のチャネル数に対応した第２マイクを含んでおり、かつ、前記第１マイクおよび前記第２マイクの一方は着脱可能であり、
複数のチャネルの音声信号を受け取って記録媒体に記録する信号処理部と、
前記第１マイクを用いて取得した音声信号の記録中に、着脱可能なマイクの着脱を検出すると、前記第２マイクで取得された少なくとも１つの音声信号を含む、前記第１のチャネル数と同じチャネル数の音声信号を前記信号処理部に送るよう信号経路を制御する切換制御部と
を備えた記録装置であって、
前記信号処理部は、前記信号経路を介して受け取った前記第１のチャネル数と同じチャネル数の音声信号を前記記録媒体に記録し、
前記第１のチャネル数が前記第２のチャネル数より少ないときにおいて、
前記切換制御部は、前記第２マイクで取得された複数の音声信号のうち、前記第１のチャネル数と同じチャネル数の音声信号を前記信号処理部に送るよう信号経路を制御する、記録装置。
【請求項４】
前記第１マイクは着脱可能に接続され、前記第２マイクは内部に設けられている、請求の範囲３に記載の記録装置。
【請求項５】
前記切換制御部は、前記第１マイクを用いて取得した音声信号の記録中に、前記第２マイクが取り付けられたことを検出する、請求の範囲２に記載の記録装置。
【請求項６】
前記切換制御部は、前記第１マイクを用いて取得した音声信号の記録中に、前記第１マイクが取り外されたことを検出する、請求の範囲４に記載の記録装置。
【請求項７】
音声の記録が停止された後において、
前記切換制御部は、前記第２マイクで取得された前記第２のチャネル数の音声信号を前記信号処理部に送るよう信号経路を制御する、請求の範囲１に記載の記録装置。
【請求項８】
複数種類のマイクを切り替えて、複数のチャネルの音声信号を記録することが可能な記録装置を利用して実行される方法であって、
前記複数種類のマイクは、第１のチャネル数に対応した第１マイク、および、第２のチャネル数に対応した第２マイクを含んでおり、かつ、前記第１マイクおよび前記第２マイクの一方は着脱可能であり、
複数のチャネルの音声信号を受け取って記録媒体に記録するステップと、
前記第１マイクを用いて取得した音声信号の記録中に、着脱可能なマイクの着脱を検出するステップと、
マイクの着脱の検出に応答して信号経路を制御し、前記第２マイクで取得された少なくとも１つの音声信号を含む、前記第１のチャネル数と同じチャネル数の音声信号を出力するステップと、
前記第１のチャネル数と同じチャネル数の音声信号を前記記録媒体に記録するステップと
を包含し、
前記第１のチャネル数が前記第２のチャネル数より多いときにおいて、
前記音声信号を出力するステップは、前記信号経路を制御して、前記第２マイクで取得された音声信号および無音の音声信号を含む、前記第１のチャネル数と同じチャネル数の複数の音声信号を出力する、記録方法。
【手続補正２】
【補正対象書類名】明細書
【補正対象項目名】全文
【補正方法】変更
【補正の内容】
【発明の詳細な説明】
【技術分野】
【０００１】
本発明は、複数のチャネルの音声信号を記録媒体に記録することが可能な記録装置に関する。より具体的には、本発明は、複数種類のマイクを切り替えて、いずれかのマイクで取得された音声信号を記録媒体に記録することが可能な記録装置に関する。
【背景技術】
【０００２】
最近のビデオカメラの高性能化にともない、マイクからの音声信号についても５．１チャネル（ＣＨ）サラウンドサウンドの記録が可能になってきた。
【０００３】
ビデオカメラによる５．１ＣＨサラウンドサウンドの記録方法を説明すると、５ＣＨ内部マイクからの音声信号はＡＣ−３コーデックによってそのまま符号化されると共に、５ＣＨ内部マイクからの音声信号からの低音部０．１ＣＨの音声信号も符号化される。その結果、デジタル化された計６チャネルの音声信号が得られる。得られた音声信号は、ＤＶＤ、メモリカードなどの記録媒体に記録される。
【０００４】
ビデオカメラに設けられた５ＣＨ内部マイクは、ビデオカメラ周辺に到来した音を広範囲に捕らえる機能を有している。しかしながらこの機能では、ビデオカメラから離れた場所の音やインタビュー等での音声を捕らえるには不都合な場合がある。よってそのような不都合を補うために外部マイクを使用することが好適である。このためビデオカメラの中には２ＣＨ外部マイクの入力プラグインが設けられているものが存在する。
【０００５】
たとえば特許文献１は、内部マイクと外部マイクとを利用可能な音声記録装置を開示している。特許文献１はまた、内部マイクから外部マイクに切り換える際の記録方法も開示している。
【０００６】
特許文献１の音声記録装置は、外部マイクの装置への装着の検出手段と、内部マイクと外部マイクとからの音声信号のどちらかを選ぶ選択手段と、モノラルサウンド／ステレオサウンドの記録モードの設定手段並びに音声記録手段とを有し、検出手段、選択手段並びに設定手段からの信号により、記録するための外部マイクまたは内部マイクからの音声信号が選択され音声記録手段によって記録される。
【特許文献１】特開２００４−３４７９９８号公報
【発明の開示】
【発明が解決しようとする課題】
【０００７】
しかしながら、音声信号の記録中に、音声信号を取得するマイクを５ＣＨ内部マイクから２ＣＨ外部マイクに切り換える場合においては、記録方式を５．１ＣＨサラウンドサウンドの記録から２ＣＨステレオサウンドの記録に切り換えると記録された音声信号が不連続になってしまう。
【０００８】
また、数ある音声記録フォーマットの中には、１つの記録データ内で５．１ＣＨサラウンドサウンド記録から２ＣＨステレオサウンド記録に切り換えることを禁止し、また２ＣＨステレオサウンド記録から５．１ＣＨサラウンドサウンド記録に切り換えることを禁止しているものがある。
【０００９】
本発明の目的は、連続性のある良好な音声信号の記録を行うことができる記録装置および記録方法を提供することである。
【課題を解決するための手段】
【００１０】
本発明による記録装置は、複数種類のマイクを切り替えて、複数のチャネルの音声信号を記録することが可能である。前記複数種類のマイクは、第１のチャネル数に対応した第１マイク、および、第２のチャネル数に対応した第２マイクを含んでおり、かつ、前記第１マイクおよび第２マイクの一方は着脱可能である。前記記録装置は、複数のチャネルの音声信号を受け取って記録媒体に記録する信号処理部と、前記第１マイクを用いて取得した音声信号の記録中に、着脱可能なマイクの着脱を検出すると、前記第２マイクで取得された少なくとも１つの音声信号を含む、前記第１のチャネル数と同じチャネル数の音声信号を前記信号処理部に送るよう信号経路を制御する切換制御部とを備えている。前記信号処理部は、前記信号経路を介して受け取った前記第１のチャネル数と同じチャネル数の音声信号を前記記録媒体に記録する。
【００１１】
前記第１マイクは内部に設けられ、前記第２マイクは着脱可能に接続されてもよい。
【００１２】
前記第１マイクは着脱可能に接続され、前記第２マイクは内部に設けられていてもよい。
【００１３】
前記第１のチャネル数が前記第２のチャネル数より多いときにおいて、前記切換制御部は、前記第２マイクで取得された音声信号および無音の音声信号を含む、前記第１のチャネル数と同じチャネル数の複数の音声信号を前記信号処理部に送るよう信号経路を制御してもよい。
【００１４】
前記第１のチャネル数が前記第２のチャネル数より少ないときにおいて、前記切換制御部は、前記第２マイクで取得された複数の音声信号のうち、前記第１のチャネル数と同じチャネル数の音声信号を前記信号処理部に送るよう信号経路を制御してもよい。
【００１５】
前記切換制御部は、前記第１マイクを用いて取得した音声信号の記録中に、前記第２マイクが取り付けられたことを検出してもよい。
【００１６】
前記切換制御部は、前記第１マイクを用いて取得した音声信号の記録中に、前記第１マイクが取り外されたことを検出してもよい。
【００１７】
音声の記録が停止された後において、前記切換制御部は、前記第２マイクで取得された前記第２のチャネル数の音声信号を前記信号処理部に送るよう信号経路を制御してもよい。
【００１８】
本発明による記録方法は、複数種類のマイクを切り替えて、複数のチャネルの音声信号を記録することが可能な記録装置を利用して実行される。前記複数種類のマイクは、第１のチャネル数に対応した第１マイク、および、第２のチャネル数に対応した第２マイクを含んでおり、かつ、前記第１マイクおよび第２マイクの一方は着脱可能である。前記記録方法は、複数のチャネルの音声信号を受け取って記録媒体に記録するステップと、前記第１マイクを用いて取得した音声信号の記録中に、着脱可能なマイクの着脱を検出するステップと、マイクの着脱の検出に応答して信号経路を制御し、前記第２マイクで取得された少なくとも１つの音声信号を含む、前記第１のチャネル数と同じチャネル数の音声信号を出力するステップと、前記第１のチャネル数と同じチャネル数の音声信号を前記記録媒体に記録するステップとを包含する。
【発明の効果】
【００１９】
本発明によれば、第１のチャネル数の音声信号の取得に対応した第１マイクを用いて音声信号を記録している最中にマイクの切り替えを検出すると、第２のチャネル数の音声信号の取得に対応した第２マイクで取得された少なくとも１つの音声信号を含む、第１のチャネル数と同じチャネル数の音声信号を記録媒体に記録する。これにより、第１のチャネル数に対応するチャネルについては、切り換え時の音声信号が不連続とならず、連続性を保つことができる。
【００２０】
たとえば、５ＣＨ内部マイクで取得された音声信号の記録中に、マイクが２ＣＨ外部マイクに切り換えられたときであっても、または、２ＣＨ外部マイクで取得された音声信号の記録中に、マイクが５ＣＨ内部マイクに切り換えられたときであっても、メインの２チャネルについては切り換え時の音声信号が不連続とならず、連続性を保つことができる。また、メインの２チャネル以外のチャネルには不要な信号が記録されない。
【００２１】
また、本発明によればマイクの切り換え前後で記録されるチャネル数は同じである。よって、音声記録フォーマットが、１つの記録データ内における記録チャネル数の変動を禁止していたとしても、そのような音声記録フォーマットに適合した音声信号を記録することができる。
【発明を実施するための最良の形態】
【００２２】
以下、添付の図面を参照しながら、本発明による記録装置の実施形態を説明する。
【００２３】
（実施形態１）
図１は、本実施形態によるビデオカメラ１００の外観を示す。ビデオカメラ１００は、映像および音声をデータ化して映像情報および音声情報として記録媒体２６に記録することが可能である。
【００２４】
ビデオカメラ１００は、撮影開始／停止スイッチ２０およびメモリカードスロット２５を有している。使用者がメモリカードスロット２５に予め記録媒体２６を挿入しておき、スイッチ２０を操作すると、ビデオカメラ１００は映像および音声の記録を開始する。使用者が再度スイッチ２０を操作すると、ビデオカメラ１００は記録を停止する。
【００２５】
映像および音声は、ビデオカメラ１００に設けられた撮像光学系（図示せず）およびマイク１によって取得される。マイク１は、ビデオカメラ１００の上面に内蔵されており、複数のマイクで構成されている。マイク１を構成する各マイクの詳細は図２を参照しながら後述する。
【００２６】
ビデオカメラ１００はさらに、外部マイク入力端子４を備えている。外部マイク入力端子４は、ビデオカメラ１００とは別体の外部マイク２を取り付けるために利用される。外部マイク２の外部マイクジャック３が外部マイク入力端子４に差し込まれることにより、外部マイク２とビデオカメラ１００とが接続される。その結果、ビデオカメラ１００は外部マイク２で取得した音声を録音可能になる。また外部マイク２がビデオカメラ１００から取り外されると、ビデオカメラ１００は内部マイク１で取得した音声を録音可能になる。外部マイク２が取り付けられている状態においては、使用者が内部マイク１または外部マイク２を選択できるようにしてもよい。
【００２７】
本件明細書では、外部マイク２に対して、マイク１を「内部マイク１」とも呼ぶ。
【００２８】
図２は本実施形態によるビデオカメラ１００の回路のブロック構成を示す。説明の便宜のため、図２は外部マイク２が取り付けられた状態を示しており、また記録媒体２６も示している。
【００２９】
ビデオカメラ１００は、内部マイク１と、外部マイク入力端子４と、フロントマイク切換スイッチユニット６と、センター／リアマイク切換スイッチユニット７と、マイコン８と、ノイズフィルターおよびＡ／Ｄ変換部９と、記録開始停止スイッチ２０と、信号処理回路２４とを備えている。
【００３０】
以下、各構成要素を説明する。
【００３１】
マイク１は、フロントレフト（ＦＬ）マイク１１と、フロントライト（ＦＲ）マイク１２と、センター（Ｃ）マイク１３と、リアレフト（ＲＬ）マイク１４と、リアライト（ＲＲ）マイク１５とで構成されている。ＦＬマイク１１は、左前方からの音声を取得する。ＦＲマイク１２は右前方からの音声を取得する。Ｃマイク１３は前方正面からの音声を取得する。ＲＬマイク１４は左後方からの音声を取得する。ＲＲマイク１５は、右後方からの音声を取得する。各マイク１１〜１５は、取得した音声に基づいて音声信号を出力する。マイク１により、５チャネルの音声信号を得ることができる。
【００３２】
一方、外部マイク２は、レフト（Ｌ）マイク２１と、ライト（Ｒ）マイク２２とで構成されている。Ｌマイク２１は左前方からの音声を取得し、Ｒマイク２２は右前方からの音声を取得する。外部マイク２を用いると、２チャネルの音声信号を取得可能である。
【００３３】
外部マイク入力端子４は、マイクジャック検出スイッチ５を備えている。マイクジャック検出スイッチ５（以下「検出スイッチ５」と記述する。）は、２ＣＨ外部マイク２が着脱されたときの電圧変化を検出することにより、２ＣＨ外部マイク２が着脱されたことを検出する。具体的には、検出スイッチ５は、外部マイク２の外部マイクジャック３が外部マイク入力端子４に挿入されたこと、または、外部マイク入力端子４に挿入されている外部マイクジャック３が取り外されたことを検出する。本願明細書において、マイクの切り換えを検出する、とは、外部マイク２がビデオカメラ１００に取り付けられたこと、または、外部マイク２がビデオカメラ１００から取り外されたことを意味する。
【００３４】
フロントマイク切換スイッチユニット６（以下「Ｆスイッチユニット６」と記述する。）は、フロントレフト（ＦＬ）マイク切換スイッチ６１およびフロントライト（ＦＲ）マイク切換スイッチ６２を有しており、マイコン８からの制御信号に基づいて各スイッチ６１および６２を制御して、信号経路ａまたは信号経路ｂを形成する。信号経路ａに切り換えられたときは、内部マイク１のＦＬマイク１１およびＦＲマイク１２で取得された各音声信号がノイズフィルターおよびＡ／Ｄ変換部９に送られる。信号経路ｂに切り換えられたときは、外部マイク２のＬマイク２１とＲマイク２２で取得された各音声信号がノイズフィルターおよびＡ／Ｄ変換部９に送られる。
【００３５】
センター／リアマイク切換スイッチユニット７（以下「Ｃ／Ｒスイッチユニット７」と記述する。）は、センター（Ｃ）マイク切換スイッチ７１、リアレフト（ＲＬ）マイク切換スイッチ７２およびリアライト（ＲＲ）マイク切換スイッチ７３を有しており、マイコン８からの制御信号に基づいて各スイッチ７１、７２および７３を制御して、信号経路ａまたは信号経路ｂを形成する。信号経路ａに切り換えられたときは、内部マイク１のＣマイク１３、ＲＬマイク１４およびＲＲマイク１５で取得された各音声信号がノイズフィルターおよびＡ／Ｄ変換部９に送られる。信号経路ｂに切り換えられたときは、Ｃマイク１３、ＲＬマイク１４およびＲＲマイク１５に対応するチャネル数の無音の音声信号がノイズフィルターおよびＡ／Ｄ変換部９に送られる。なお、無音の音声信号は端子をグランド接地することにより生成される。
【００３６】
ノイズフィルターおよびＡ／Ｄ変換部９は、雑音消去と内部マイク１または外部マイク２のアナログ音声信号をデジタル音声信号に変換する。
【００３７】
信号処理回路２４は、ＡＣ−３コーデック１０およびＨ．２６４コーデック２３を含む。ＡＣ−３コーデック１０は、音声信号を、２ＣＨまたは５．１ＣＨのＡＣ−３フォーマットに符号化し、復号化する。Ｈ．２６４コーデック２３は、ＡＣ−３コーデック１０から出力された音声信号、および、ビデオカメラ１００の撮像光学系から出力された映像信号を符号化し、復号化する。そしてＨ．２６４コーデック２３は、音声信号と共に映像信号を記録媒体２６に記録する。
【００３８】
記録開始停止スイッチ２０は、使用者が記録の開始および停止を操作するために利用される。
【００３９】
マイコン８は、ビデオカメラ１００内の種々の回路に制御信号を出力してビデオカメラ１００全体を制御する。たとえばマイコン８は、記録開始停止スイッチ２０の押下に応答してビデオ撮影の開始を指示し、同時に信号処理回路２４に対して映像信号および音声信号の処理の開始を指示する。マイコン８は、映像信号および／または音声信号の記録中に、電圧の変化を検出したことの通知を検出スイッチ５から受け取ると、外部マイク２が着脱されたこと、すなわち録音に使用するマイクが切り替えられたことを検出する。その結果、Ｆスイッチユニット６およびＣ／Ｒスイッチユニット７に対して信号経路を切り換えるように制御信号を出力する。
【００４０】
次に、ビデオカメラ１００の動作、特に音声の録音に関する動作を説明する。
【００４１】
（１）記録開始時に５ＣＨ内部マイク１を用いるときのビデオカメラ１００の動作
図３は、使用するマイクを５ＣＨ内部マイクから２ＣＨ外部マイクに切り換えたときの、音声信号の切り換えタイミングを示す図である。図３の上段にはビデオカメラ１００の動作タイミングＳ１〜Ｓ５が示されており、その下から順に、記録状態Ａ１、使用マイクＡ２および音声信号記録のフォーマットＡ３が示されている。
【００４２】
図３の上段に示すタイミングＳ１は記録開始であり、タイミングＳ２はマイク切り換えであり、タイミングＳ３は記録停止であり、タイミングＳ４は再度の記録開始であり、タイミングＳ５はその記録停止である。
【００４３】
タイミングＳ１では、記録状態Ａ１は「記録」が行われることを示し、使用マイクＡ２は５ＣＨ内部マイクであることを示し、音声信号記録Ａ３は５．１ＣＨサラウンドサウンドの音声信号の記録を意味している。
【００４４】
記録状態Ａ１が記録を示している状態で（すなわち記録中に）、タイミングＳ２において２ＣＨ外部マイクの取り付けが検出されると、ビデオカメラ１００は、音声信号記録Ａ３に示すように、以後も引き続き、５．１ＣＨサラウンドサウンドの記録を継続する。ただしこのとき、使用マイクＡ２は２ＣＨ外部マイクに変更される。そして、２ＣＨ外部マイクのＬマイクおよびＲマイクからの音声信号が利用され、かつ、残りの３チャネル分の無音の音声信号が利用されて、５．１ＣＨサラウンドサウンドの記録が継続される。
【００４５】
タイミングＳ３で記録が停止されると、記録状態Ａ２は記録停止に遷移する。
【００４６】
その後、使用マイクＡ２が２ＣＨ外部マイクのままタイミングＴ４において記録開始の指示が与えられると、記録が開始される。その結果、記録状態Ａ２は記録を示している状態に戻る。使用マイクＡ２のＬマイク２１とＲマイク２２とを利用して取得された音声信号は、ステレオサウンドで記録される。
【００４７】
以下、上述のタイミングＳ１〜Ｓ５に沿ってビデオカメラ１００の動作を詳細に説明する。
【００４８】
まず、５ＣＨ内部マイク１の各マイク１１〜１５で取得された音声信号を記録中に、２ＣＨ外部マイクが取り付けられたときの動作を説明する。このときの動作は、図３のタイミングＳ１からタイミングＳ２経過後までの動作に対応する。
【００４９】
記録停止状態から使用者が記録開始停止スイッチ２０を操作したタイミングＳ１において、マイコン８は、検出スイッチ５からの入力信号により２ＣＨ外部マイク２が接続されていないことを検出する。これにより、マイコン８は、５ＣＨ内部マイク１を使用して音声信号を記録すると判断する。なお、外部マイク入力端子４に２ＣＨ外部マイク２の外部マイクジャック３が接続されていないときは、マイコン８は、検出スイッチ５からの入力信号により２ＣＨ外部マイク２が接続されていないことを継続して検出する。
【００５０】
マイコン８はＦスイッチユニット６およびＣ／Ｒスイッチユニット７内に設けられた各スイッチ６１、６２、７１、７２、７３を制御して、信号経路ａを形成する。これにより、ＦＬマイク１１とＦＲマイク１２で取得された音声信号はＦスイッチユニット６に送られる。またＣマイク１３とＲＬマイク１４とＲＲマイク１５で取得された音声信号はＣ／Ｒスイッチユニット７に送られる。各音声信号は、ノイズフィルターおよびＡ／Ｄ変換部９に送られて雑音を消去され、Ａ／Ｄ変換されて、ＡＣ−３コーデック１０に入力される。
【００５１】
マイコン８がＡＣ−３コーデック１０に対して５．１チャネル（ＣＨ）のＡＣ−３エンコードを指示すると、ＡＣ−３コーデック１０は、ＡＣ−３エンコードされた５．１ＣＨサラウンドサウンドの音声信号をＨ．２６４コーデック２３に出力する。
【００５２】
Ｈ．２６４コーデック２３は、映像信号１１と共に５．１ＣＨサウンドサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して５．１ＣＨサラウンドサウンドを含む映像・音声信号の記録を行う。
【００５３】
その後、タイミングＳ２において、５ＣＨ内部マイク１で５．１ＣＨサラウンドサウンドの記録を行っている状態で、２ＣＨ外部マイク２の外部マイクジャック３が外部マイク入力端子４に接続されたときのビデオカメラ１００の動作を説明する。
【００５４】
マイコン８は、検出スイッチ５から入力された信号により、２ＣＨ外部マイク２が接続されたことを検出する。
【００５５】
マイコン８はＦスイッチユニット６およびＣ／Ｒスイッチユニット７内に設けられた各スイッチ６１、６２、７１、７２、７３を制御して、信号経路ｂを形成する。これにより、Ｌマイク２１とＲマイク２２で取得された音声信号はＦスイッチユニット６に送られる。また残りのチャネルからの音声信号（Ｃマイク１３とＲＬマイク１４とＲＲマイク１５）はノイズフィルターおよびＡ／Ｄ変換部９には送られない。Ｃ／Ｒスイッチユニット７におけるグランド接地により、これらに対応する無音の音声信号がノイズフィルターＡ／Ｄ変換９に送られて雑音消去とＡ／Ｄ変換が行われてＡＣ−３コーデック１０に入力される。
【００５６】
マイコン８は、記録状態であるため、ＡＣ−３コーデック１０にＡＣ−３エンコードを引き続き実行させる。ＡＣ−３コーデック１０は、５．１ＣＨサラウンドサウンドの音声信号を生成してＨ．２６４コーデック２３に出力する。Ｈ．２６４コーデック２３は、映像信号１１と共に５．１ＣＨサラウンドサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して５．１ＣＨサラウンドサウンドを含む映像・音声信号の記録を行う。
【００５７】
この結果、２ＣＨ外部マイク２のＬマイク２１とＲマイク２２の音声信号を用い、かつ、残りのチャネルは無音で５．１ＣＨサラウンドサウンド記録が継続される。
【００５８】
ここで、２ＣＨ外部マイク２を用いて５．１ＣＨサラウンドサウンド記録が行われているときに、２ＣＨ外部マイク２が取り外されたときの処理を説明する。この処理は、たとえば図３のタイミングＳ３が記録停止ではなく、タイミングＳ２と同様のマイク切り換えが行われたときに実行される。
【００５９】
使用者が、外部マイク入力端子４から２ＣＨ外部マイク２の外部マイクジャック３を取り外す。するとマイコン８は、検出スイッチ５から入力された信号により、２ＣＨ外部マイク２が取り外されたことを検出し、その結果、マイクの切り換えを検出する。すると、マイコン８はＦスイッチユニット６およびＣ／Ｒスイッチユニット７内に設けられた各スイッチ６１、６２、７１、７２、７３を制御して、信号経路ａを形成する。これにより、再び図３のタイミングＳ１からＳ２までの間に行われた処理が実行される。よって、ビデオカメラ１００は、５ＣＨ内部マイク１のマイク１１〜１５で取得された音声信号を用いて５．１ＣＨサラウンドサウンド記録を継続することができる。
【００６０】
次に、２ＣＨ外部マイク２を用いて取得された５．１ＣＨサラウンドサウンドの記録中に記録停止を行い、再度記録開始するときの処理を説明する。
【００６１】
タイミングＳ３において、記録状態から使用者が記録開始停止スイッチ２０を操作すると、マイコン８はＡＣ−３コーデック１０にＡＣ−３エンコード停止を指示し、ＡＣ−３コーデック１０はエンコードを停止する。同時にマイコン８は、記録媒体２６に対して記録停止のための制御を行い、５．１ＣＨサラウンドサウンド記録を停止する。
【００６２】
タイミングＳ４において、使用者が再度記録開始停止スイッチ２０を操作すると、マイコン８は、記録の連続性が必要ないこと、および、検出スイッチ５から入力された信号によって２ＣＨ外部マイク２が接続されたことを検出する。するとマイコン８は、ＡＣ−３コーデック１０に対して、５．１チャネルではなく２ＣＨのＡＣ−３エンコードを指示する。ＡＣ−３コーデック１０が２ＣＨステレオサウンドの音声信号をＨ．２６４コーデック２３に出力すると、Ｈ．２６４コーデック２３は、映像信号１１と共に２ＣＨステレオサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して２ＣＨステレオサウンドを含む映像・音声信号の記録を行う。
【００６３】
上述の説明から明らかなように、ビデオカメラ１００は、２ＣＨ外部マイク２を用いて５．１チャネルサウンドの記録を行っていたときに記録を一旦停止すると、その後記録の開始が指示されたときは２ＣＨ外部マイク２を利用して２ＣＨステレオサウンドの記録を行う。
【００６４】
図４は、５ＣＨマイク１を用いて音声を記録している最中に、マイクを２ＣＨ外部マイク２に切り換えたときの処理の手順を示す。このとき、５．１ＣＨサラウンドサウンドの音声信号が記録されている。
【００６５】
ステップＳ４１において、マイコン８の制御にしたがって、ビデオカメラ１００は５ＣＨ内部マイク１で音声を取得し、記録媒体２６への音声信号の記録を継続する。
【００６６】
ステップＳ４２において、２ＣＨ外部マイク２の取り付けに起因して検出スイッチ５によって電圧変化が検出されると、マイコン８は、５ＣＨ内部マイク１から２ＣＨ外部マイク２への切り換えを検出する。
【００６７】
ステップＳ４３において、マイコン８は、音声信号を取得する信号経路を、２ＣＨ外部マイク２からの音声信号を取得する信号経路ｂに切り換える。
【００６８】
その結果、ステップＳ４４において、２ＣＨ外部マイク２のレフト（Ｌ）およびライト（Ｒ）で２チャネルの音声信号（有音）が取得され、ステップＳ４５において、センター（Ｃ）、リアレフト（ＲＬ）およびリアライト（ＲＲ）に対応する３チャネルの音声信号（無音）が取得される。
【００６９】
ステップＳ４６においては、ノイズフィルターおよびＡ／Ｄ変換部９、ＡＣ−３コーデック１０およびＨ．２６４コーデック２３は、合計５ＣＨの音声信号、すなわち２チャネルの有音音声信号および３チャネルの無音音声信号を処理し、得られた５．１ＣＨサラウンドサウンドの音声信号を記録媒体２６へ継続的に記録する。
【００７０】
そしてステップＳ４７において、ビデオカメラ１００は記録停止の指示があるまで、２ＣＨ外部マイク２を利用した５．１ＣＨサラウンドサウンドの記録を継続する。
【００７１】
以上の処理によれば、マイク切り換え時に音声信号の記録フォーマットが変化することがないため、音声信号の連続性を保つことができる。また、レフト（Ｌ）チャネルおよびライト（Ｒ）チャネルには有音の音声信号が記録されるが、それ以外のチャネルの音声は無音であるため、５．１ＣＨサラウンドサウンドで記録されているにもかかわらず実質的には２ＣＨステレオサウンドで記録されていることと同じになる。よって、ユーザの希望に沿った音声記録を実現できる。
【００７２】
（２）記録開始時に２ＣＨ内部マイク１を用いるときのビデオカメラ１００の動作
図５は、使用するマイクを２ＣＨ外部マイクから５ＣＨ内部マイクに切り換えたときの、音声信号の切り換えタイミングを示す図である。図５の上段にはビデオカメラ１００の動作タイミングＴ１〜Ｔ５が示されており、その下から順に、記録状態Ｂ１、使用マイクＢ２および音声信号記録のフォーマットＢ３が示されている。図５の記載方法は図３に準じている。
【００７３】
記録状態Ｂ１が記録を示している状態で（すなわち記録中に）、タイミングＴ２において２ＣＨ外部マイク２の取り外しが検出されると、マイコン８はマイクの切り換えを検出する。ビデオカメラ１００は、音声信号記録Ｂ３に示すように、以後も引き続き、２ＣＨステレオサウンドの記録を継続する。ただしこのとき、使用マイクＢ２は５ＣＨ内部マイクに変更される。そして、５ＣＨ内部マイク１の音声信号の一部のみが記録される。具体的には、ＦＬマイク１１およびＦＲマイク１２からの音声信号のみが利用され、残りの３チャネル（Ｃマイク１３、ＲＬマイク１４およびＲＲマイク１５）で取得された音声信号は利用されない。その結果、２ＣＨステレオサウンドの記録が継続される。
【００７４】
タイミングＴ３で記録が停止されると、記録状態Ｂ２は記録停止に遷移する。
【００７５】
その後、使用マイクＢ２が５ＣＨ内部マイク１のまま、タイミングＴ４において記録開始の指示が与えられると、記録が開始される。その結果、記録状態Ｂ２は記録を示している状態に戻る。使用マイクＢ２に示されるように、５ＣＨ内部マイク１で取得された音声信号の全部が、５．１ＣＨサラウンドサウンドで記録される。
【００７６】
以下、上述のタイミングＴ１〜Ｔ５に沿ってビデオカメラ１００の動作を詳細に説明する。
【００７７】
記録停止状態から使用者が記録開始停止スイッチ２０を操作したタイミングＴ１において、マイコン８は、検出スイッチ５からの入力信号により２ＣＨ外部マイク２が接続されていることを検出する。これにより、マイコン８は、２ＣＨ外部マイク２を使用して音声信号を記録すると判断する。
【００７８】
マイコン８はＦスイッチユニット６およびＣ／Ｒスイッチユニット７内に設けられた各スイッチ６１、６２、７１、７２、７３を制御して、信号経路ｂを形成する。これにより、Ｌマイク２１とＲマイク２２で取得された音声信号はＦスイッチユニット６を介してノイズフィルターおよびＡ／Ｄ変換部９に送られる。また残りのチャネルからの音声信号（Ｃマイク１３とＲＬマイク１４とＲＲマイク１５）はノイズフィルターおよびＡ／Ｄ変換部９には送られない。Ｃ／Ｒスイッチユニット７におけるグランド接地により、これらに対応する無音の音声信号がノイズフィルターＡ／Ｄ変換９に送られて雑音消去とＡ／Ｄ変換が行われてＡＣ−３コーデック１０に入力される。
【００７９】
マイコン８がＡＣ−３コーデック１０に対して２チャネルの音声信号のＡＣ−３エンコードを指示すると、ＡＣ−３コーデック１０は、ＡＣ−３エンコードされた２ＣＨステレオサウンドの音声信号をＨ．２６４コーデック２３に出力する。ＡＣ−３コーデック１０は、無音の音声信号の処理は行わない。
【００８０】
Ｈ．２６４コーデック２３は、映像信号１１と共に２ＣＨステレオサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して２ＣＨステレオサウンドを含む映像・音声信号の記録を行う。
【００８１】
その後、タイミングＴ２において、２ＣＨ内部マイク１で２ＣＨステレオサウンドの記録を行っている状態で、２ＣＨ外部マイク２の外部マイクジャック３が外部マイク入力端子４から取り外されたときのビデオカメラ１００の動作を説明する。
【００８２】
マイコン８は、検出スイッチ５から入力された信号により、２ＣＨ外部マイク２が取り外されたことを検出する。
【００８３】
マイコン８はＦスイッチユニット６およびＣ／Ｒスイッチユニット７内に設けられた各スイッチ６１および６２を制御して、信号経路ａを形成する。一方、各スイッチ７１、７２および７３については、引き続き信号経路ｂを保持する。
【００８４】
これにより、ＦＬマイク１１とＦＲマイク１２で取得された音声信号はＦスイッチユニット６に送られる。またＣマイク１３とＲＬマイク１４とＲＲマイク１５で取得された音声信号はノイズフィルターおよびＡ／Ｄ変換部９には送られない。Ｃ／Ｒスイッチユニット７におけるグランド接地により、これらに対応する無音の音声信号がノイズフィルターＡ／Ｄ変換９に送られて雑音消去とＡ／Ｄ変換が行われてＡＣ−３コーデック１０に入力される。
【００８５】
マイコン８は、記録状態であるため、ＡＣ−３コーデック１０にＡＣ−３エンコードを引き続き実行させる。ＡＣ−３コーデック１０は、２ＣＨステレオサウンドの音声信号を生成してＨ．２６４コーデック２３に出力する。
【００８６】
Ｈ．２６４コーデック２３は、映像信号１１と共に２チャネルの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して２ＣＨステレオサウンドを含む映像・音声信号の記録を行う。
【００８７】
この結果、５ＣＨ内部マイク１のＦＬマイク１１とＦＲマイク１２の音声信号を用いて２ＣＨステレオサウンド記録が継続される。
【００８８】
ここで、５ＣＨ内部マイク１を用いて２ＣＨステレオサウンド記録が行われているときに、２ＣＨ外部マイク２が取り付けられたときの処理を説明する。この処理は、たとえば図５のタイミングＴ３が記録停止ではなく、タイミングＴ２と同様のマイク切り換えが行われたときに実行される。
【００８９】
使用者が、外部マイク入力端子４に２ＣＨ外部マイク２の外部マイクジャック３を取り付ける。するとマイコン８は、検出スイッチ５から入力された信号により、２ＣＨ外部マイク２が取り付けられたことを検出し、その結果、マイクの切り換えを検出する。すると、マイコン８はＦスイッチユニット６およびＣ／Ｒスイッチユニット７内に設けられた各スイッチ６１、６２、７１、７２、７３を制御して、信号経路ｂを形成する。これにより、再び図５のタイミングＴ１からＴ２までの間に行われた処理が実行される。よって、ビデオカメラ１００は、２ＣＨの内部マイク１で取得された音声信号を用いて２ＣＨステレオサウンド記録を継続することができる。
【００９０】
次に、５ＣＨ内部マイク１を用いて取得された２ＣＨステレオサウンドの記録中に記録停止を行い、再度記録開始するときの処理を説明する。
【００９１】
タイミングＴ３において、記録状態から使用者が記録開始停止スイッチ２０を操作すると、マイコン８はＡＣ−３コーデック１０にＡＣ−３エンコード停止を指示し、ＡＣ−３コーデック１０はエンコードを停止する。同時にマイコン８は、記録媒体２６に対して記録停止のための制御を行い、２ＣＨステレオサウンド記録を停止する。
【００９２】
タイミングＴ４において、使用者が再度記録開始停止スイッチ２０を操作すると、マイコン８は、記録の連続性が必要ないこと、および、検出スイッチ５から入力された信号によって２ＣＨ外部マイク２が取り付けられていないことを検出する。するとマイコン８は、ＡＣ−３コーデック１０に対して、２チャネルではなく５．１ＣＨのＡＣ−３エンコードを指示する。ＡＣ−３コーデック１０が５．１ＣＨサラウンドサウンドの音声信号をＨ．２６４コーデック２３に出力すると、Ｈ．２６４コーデック２３は、映像信号１１と共に５．１ＣＨサラウンドサウンドの音声信号に対してＨ．２６４エンコードを行う。同時にマイコン８は、Ｈ．２６４エンコードされた映像・音声信号を記録媒体２６に記録するよう制御する。その制御のもとで、Ｈ．２６４コーデック２３は記録媒体２６に対して５．１ＣＨサラウンドサウンドを含む映像・音声信号の記録を行う。
【００９３】
ビデオカメラ１００は、５ＣＨ内部マイク１を用いて２チャネルサウンドの記録を行っていたときに記録を一旦停止すると、その後記録の開始が指示されたときは５ＣＨ内部マイク１を利用して５．１ＣＨサラウンドサウンドの記録を行う。
【００９４】
図６は、２ＣＨ外部マイク２を用いて音声を記録している最中に、マイクを５ＣＨ内部マイク１に切り換えたときの処理の手順を示す。このとき、２ＣＨステレオサウンドの音声信号が記録されている。
【００９５】
ステップＳ６１において、マイコン８の制御にしたがって、ビデオカメラ１００は２ＣＨ外部マイク２で音声を取得し、記録媒体２６への音声信号の記録を継続する。
【００９６】
ステップＳ６２において、２ＣＨ外部マイク２の取り外しに起因して検出スイッチ５によって電圧変化が検出されると、マイコン８は、２ＣＨ外部マイク２から５ＣＨ内部マイク１への切り換えを検出する。
【００９７】
ステップＳ６３において、マイコン８は、音声信号を取得する信号経路を、５ＣＨ内部マイク１からの音声信号を取得する信号経路ａに切り換える。
【００９８】
その結果、ステップＳ４４において、５ＣＨ内部マイク１のフロントレフト（ＦＬ）およびフロントライト（ＦＲ）で２チャネルの音声信号（有音）が取得され、ステップＳ４５において、センター（Ｃ）、リアレフト（ＲＬ）およびリアライト（ＲＲ）に対応する３チャネルの音声信号（無音）が取得される。
【００９９】
ステップＳ６６においては、ノイズフィルターおよびＡ／Ｄ変換部９、ＡＣ−３コーデック１０およびＨ．２６４コーデック２３は、２ＣＨの有音音声信号を処理し、得られた２ＣＨステレオサウンドの音声信号を記録媒体２６へ継続的に記録する。
【０１００】
そしてステップＳ６７において、ビデオカメラ１００は記録停止の指示があるまで、５ＣＨ内部マイク１を利用した２ＣＨステレオサウンドの記録を継続する。
【０１０１】
以上の処理によれば、マイク切り換え時に音声信号の記録フォーマットが変化することがないため、音声信号の連続性を保つことができる。
【０１０２】
以上、本発明による記録装置の例として、ビデオカメラの実施形態を例に挙げて説明した。
【０１０３】
上述の図４および図６に示す処理は、マイコン８がメモリ（図示せず）に格納された、種々の実行コードから構成されたコンピュータプログラムを実行することによって実現される。そのようなコンピュータプログラムは製品としてＣＤ−ＲＯＭ等の光ディスク、メモリカード等の半導体メモリなどに代表される記録媒体２６に記録されて市場に流通され、または、インターネット等の電気通信回線を通じて伝送され得る。
【０１０４】
マイコン８は、半導体回路にコンピュータプログラムを組み込んだＤＳＰ、チップ回路、光ディスクコントローラ等のハードウェアとして実現することも可能であるし、メモリ上に展開されたコンピュータプログラムを汎用のプロセッサに実行させることによって実現することも可能である。
【０１０５】
本実施形態では音声コーデックとしてＡＣ−３を挙げて説明したが、これに限るものではない。ＡＭＲ、ＭＰ３等の他の音声コーデックであっても採用できる。また本実施形態では映像・音声の圧縮方式としてＨ．２６４を挙げて説明したが、これに限るものではない。ＭＰＥＧ２、ＭＰＥＧ４等の他の方式であっても採用できる。
【０１０６】
上述の図２に示される信号処理回路２４においては、ＡＣ−３コーデック１０およびＨ．２６４コーデック２３は別々の回路として実装されているが、これは例である。１つの回路、すなわち信号処理回路２４がＡＣ−３コーデック１０およびＨ．２６４コーデック２３の処理を並列的に行ってもよい。
【０１０７】
本発明による記録装置は、ビデオカメラのような映像の記録を前提とした機器に限られない。内部マイクと外部マイクとを利用可能な記録装置であれば、たとえばボイスレコーダのような機器としても実施できる。
【０１０８】
上述の本実施形態においては、内部マイク１で取得できるチャネル数と、外部マイク２で取得できるチャネル数とが異なるとしているが、仮に同じであってもよい。ビデオカメラは、内部マイクのチャネル数と外部マイクのチャネル数が同じときも問題なく動作する。
【産業上の利用可能性】
【０１０９】
本発明の記録装置は、たとえばビデオカメラとして製造される。ビデオカメラは、撮影記録中に、音声信号を取得するためのマイクが異なる種類のマイクに切り換えられた場合、使用するマイクを切り換えつつも音声信号記録フォーマットを保持し、連続性のある音声信号の記録を行う。チャネル数が異なる音声入力を持ち、記録の連続性の必要な音声記録機器の用途として有用である。
【０１１０】
より具体的には、５ＣＨ内部マイクを利用していわゆる５．１ＣＨサラウンドサウンドの音声信号を記録している最中に、マイクが２ＣＨ外部マイクに切り換えられた時において、音声信号が不連続にならないように音声信号を記録することができる。また、ビデオカメラは、２ＣＨ外部マイクを利用した音声信号の記録中にマイクが５ＣＨ内部マイクに切り換えられた時においても、音声信号が不連続にならないように音声信号を記録することができる。
【図面の簡単な説明】
【０１１１】
【図１】本発明の実施形態によるビデオカメラ１００の外観を示す図である。
【図２】本発明の実施形態によるビデオカメラ１００の回路のブロック構成を示す図である。
【図３】使用するマイクを５ＣＨ内部マイクから２ＣＨ外部マイクに切り換えたときの、音声信号の切り換えタイミングを示す図である。
【図４】５ＣＨ内部マイク１を用いて音声を記録している最中に、マイクを２ＣＨ外部マイク２に切り換えたときの処理の手順を示すフローチャートである。
【図５】使用するマイクを２ＣＨ外部マイクから５ＣＨ内部マイクに切り換えたときの、音声信号の切り換えタイミングを示す図である。
【図６】２ＣＨ外部マイク２を用いて音声を記録している最中に、マイクを５ＣＨ内部マイク１に切り換えたときの処理の手順を示すフローチャートである。
【符号の説明】
【０１１２】
１  ５ＣＨ内部マイク
２  ２ＣＨ外部マイク
３  外部マイクジャック
４  外部マイク入力端子
５  マイクジャック検出スイッチ
６  フロントマイク切換スイッチユニット
７  センター／リアマイク切換スイッチユニット
８  マイコン
９  ノイズフィルターＡ／Ｄ変換
１０  ＡＣ−３コーデック
２０  記録開始停止スイッチ
２３  Ｈ．２６４コーデック
２４  信号処理回路
２５  メモリカードスロット
２６  記録媒体
１００  ビデオカメラ
【手続補正３】
【補正対象書類名】図面
【補正対象項目名】全図
【補正方法】変更
【補正の内容】
【図１】
2008056572.tif 000009
【図２】
2008056572.tif 000010
【図３】
2008056572.tif 000011
【図４】
2008056572.tif 000012
【図５】
2008056572.tif 000013
【図６】
2008056572.tif 000014
【国際調査報告】
2008056572.tif 000015
2008056572.tif 000016
2008056572.tif 000017
2008056572.tif 000018
2008056572.tif 000019
2008056572.tif 000020
2008056572.tif 000021